(57)【要約】【課題】構造が簡単であり、複写帳票の機能及びラベル部を有する帳票を提供する。【解決手段】感圧複写部とラベル部を有するプリンター印字可能な帳票において、複写部は少なくとも第一基材１７と第二基材１８とが積層されてなり、かつ、ラベル部は少なくとも第一基材１７と第三基材１９とが積層されてなり、第一基材１７は第一印刷領域Ｐ１と第二印刷領域Ｐ２と第三印刷領域Ｐ３に少なくとも区分され、第一印刷領域Ｐ１と第二印刷領域Ｐ２との間、並びに第二印刷領域Ｐ２と第三印刷領域Ｐ３との間に切断線が夫々設けられている。【選択図】図１
2015051624.tif 000002
【特許請求の範囲】
【請求項１】
感圧複写部とラベル部を有するプリンター印字可能な帳票において、
前記感圧複写部は少なくとも第一基材と第二基材とが積層されてなり、
かつ、前記ラベル部は少なくとも前記第一基材と第三基材とが積層されてなり、
前記第一基材は第一印刷領域と第二印刷領域と第三印刷領域に少なくとも区分され、
前記第一印刷領域に対応する前記第一基材と前記第二基材の間には感圧複写構造が設けられ、
前記第二印刷領域に対応する前記第一基材は接着剤層を介して前記第二基材と接着され、
前記第三印刷領域に対応する前記第一基材はラベル基材をなし、
前記第三基材は剥離紙をなし、前記ラベル基材の少なくともラベルとなる領域と前記剥離紙との間には粘着剤層が少なくとも設けられ、
前記第一基材には、前記第一印刷領域と前記第二印刷領域との間、並びに前記第一印刷領域と前記第三印刷領域との間に切断線が夫々設けられていること、
を特徴とする帳票。
【請求項２】
請求項１に記載の帳票において、
前記帳票は、連続帳票のプリンター走行方向に連接された単位帳票であって、
前記切断線はプリンター走行方向に沿って設けられ、
前記第二印刷領域の接着剤層は、前記プリンター走行方向に沿って線状又は点線状に形成された線状糊であって、前記線状糊は所定間隔の領域を空けて二本形成され、前記所定間隔の領域に対応する前記第一基材表面の領域を前記第二印刷領域としたこと、
を特徴とする帳票。
【請求項３】
請求項１又は請求項２に記載の帳票において、
前記感圧複写構造は、
発色剤と顕色剤との化学反応により発色する方式であって、
前記第一基材と前記第二基材の対向面のうち、前記第一基材側に発色剤層が設けられ、前記第二基材側に顕色剤層が設けられていること、
を特徴とする帳票。
【請求項４】
請求項１又は請求項２に記載の帳票において、
前記感圧複写構造は、
発色剤と顕色剤との化学反応により発色する方式であって、
前記第一基材と前記第二基材の対向面のうち、前記第二基材側にセルフ発色方式の感圧発色層が設けられていること、
を特徴とする帳票。
【請求項５】
請求項１から請求項４のいずれかに記載の帳票において、
前記第三基材は、
紙基材に剥離剤層を形成したものであり、
前記剥離剤層と前記粘着剤層とが接するように前記第一基材と貼り合わされていること、
を特徴とする帳票。
【請求項６】
請求項１から請求項５のいずれかに記載の帳票において、
前記第二基材と前記第三基材の厚さが同じであること、
を特徴とする帳票。
【請求項７】
請求項１から請求項５のいずれかに記載の帳票において、
前記第二基材と前記第三基材とは同じ基材であること、
を特徴とする帳票。
【請求項８】
請求項１から請求項７のいずれかに記載の帳票において、
前記第一印刷領域と前記第三印刷領域との間の切断線に対応する前記第二基材と前記第三基材との間の領域にスリット部を設けたこと、
を特徴とする帳票。
【請求項９】
第一片と、前記第一片に第一切断線を介して連設され再貼付可能な粘着層を有するラベル片とを備える第一基材と、
前記第一基材の前記第一片に積層され、前記第一片との間に感圧複写構造が設けられた第二基材と、
前記第一基材の前記ラベル片に積層され、前記粘着層に積層された剥離層を有する第三基材とを備え、
前記第一基材の前記第一片及び前記第二基材によって複写部を形成し、
前記第一基材の前記ラベル片及び前記第三基材によってラベル部を形成すること、
を特徴とする帳票。
【請求項１０】
請求項９に記載の帳票において、
前記第一基材は、前記第一片に対して、前記ラベル片とは反対側に、第二切断線で分離可能に接続された第二片を備え、
前記第二片及び前記第二基材の層間を強接着する接着剤層と、
前記第一基材の前記第一片に設けられた第一片印刷領域と、
前記第一基材の前記第二片に設けられた第二片印刷領域とを備え、
前記第一片印刷領域、前記第二片印刷領域には、対応付けられた情報が印刷され、
前記第一基材の前記第一片を含む第一分離片と、前記第一基材の前記第二片及び前記第二基材が前記接着剤層によって一体となった第二分離片とが、前記第二切断線によって分離可能であること、
を特徴とする帳票。
【請求項１１】
請求項１０に記載の帳票において、
マージナル部を、両端に備え、
前記第二片印刷領域は、前記複写部側の前記マージナル部と前記第二切断線との間に配置されていること、
を特徴とする帳票。
【請求項１２】
請求項１０又は請求項１１のいずれかに記載の帳票において、
前記ラベル片に設けられた第三印刷領域を備えること、
を特徴とする帳票。
【請求項１３】
請求項１０から請求項１２のいずれかに記載の帳票において、
前記各印刷領域には、互いに対応付けられた情報が印刷されていること、
を特徴とする帳票。
【請求項１４】
請求項９から請求項１３のいずれかに記載の帳票において、
前記第二基材と前記第三基材の厚さが同じであること、
を特徴とする帳票。
【請求項１５】
請求項９から請求項１３のいずれかに記載の帳票において、
前記第二基材と前記第三基材とは、
同じ基材であり、
前記第一切断線に対応した領域に第三切断線を備えること、
を特徴とする帳票。
【請求項１６】
請求項９から請求項１５のいずれかに記載の帳票において、
前記第一切断線に対応する前記第二基材と前記第三基材との間の領域にスリット部を設けたこと、
を特徴とする帳票。
【発明の詳細な説明】
【技術分野】
【０００１】
本発明は、複写構造、ラベルを備える帳票に関するものである。
【背景技術】
【０００２】
従来、記載部分と、ラベルとを有する帳票（いわゆるコンビネーションフォーム）があった。
しかし、従来の帳票は、記載部分と、ラベルを有する部分とを貼り合わせて接続するため、構造が複雑であった。
【先行技術文献】
【特許文献】
【０００３】
【特許文献１】特許第２７０９８９９号公報
【発明の概要】
【発明が解決しようとする課題】
【０００４】
本発明の課題は、構造が簡単であり、複写帳票の機能及びラベル部を有する帳票を提供することである。
【課題を解決するための手段】
【０００５】
本発明は、以下のような解決手段により、前記課題を解決する。なお、理解を容易にするために、第１実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、感圧複写部とラベル部を有するプリンター印字可能な帳票において、前記複写部は少なくとも第一基材（１７）と第二基材（１８）とが積層されてなり、かつ、前記ラベル部は少なくとも前記第一基材（１７）と第三基材（１９）とが積層されてなり、前記第一基材（１７）は第一印刷領域（Ｐ１）と第二印刷領域（Ｐ２）と第三印刷領域（Ｐ３）に少なくとも区分され、前記第一印刷領域（Ｐ１）に対応する前記第一基材（１７）と前記第二基材（１８）の間には感圧複写構造（３２）が設けられ、前記第二印刷領域（Ｐ２）に対応する前記第一基材（１７）は接着剤層（１０）を介して前記第二基材（１８）と接着され、前記第三印刷領域（Ｐ３）に対応する前記第一基材（１７）は前記ラベル基材をなし、前記第三基材（１９）は剥離紙をなし、前記ラベル基材の少なくともラベル（１５）となる領域と前記剥離紙との間には粘着剤層が少なくとも設けられ、前記第一基材（１７）には、前記第一印刷領域（Ｐ１）と前記第二印刷領域（Ｐ２）との間、並びに前記第二印刷領域（Ｐ２）と前記第三印刷領域（Ｐ３）との間に切断線（Ｓ）が夫々設けられていることを特徴とする帳票。
・第２の発明は、第１の発明において、前記帳票は、連続帳票のプリンター走行方向に連接された単位帳票であって、前記切断線（Ｓ）はプリンター走行方向に沿って設けられ、前記第二印刷領域（Ｐ２）の接着剤層（１０）は、前記プリンター走行方向に沿って線状又は点線状に形成された線状糊であって、前記線状糊は所定間隔の領域を空けて二本形成され、前記所定間隔の領域に対応する前記第一基材（１７）表面の領域を第二印刷領域（Ｐ２）としたことを特徴とする帳票。
・第３の発明は、第１の発明または第２の発明において、前記感圧複写構造（３２）は、発色剤と顕色剤との化学反応により発色する方式であって、前記第一基材（１７）と前記第二基材（１８）の対向面のうち、前記第一基材（１７）側に発色剤層が設けられ、前記第二基材（１８）側に顕色剤層が設けられていることを特徴とする帳票。
・第４の発明は、第１の発明または第２の発明において、前記感圧複写構造（３２）は、発色剤と顕色剤との化学反応により発色する方式であって、前記第一基材（１７）と前記第二基材（１８）の対向面のうち、前記第二基材（１８）側にセルフ発色方式の感圧発色層が設けられていることを特徴とする帳票。
・第５の発明は、第１の発明から第４の発明のいずれか１つの発明において、前記第三基材（１９）は、紙基材に剥離剤層（２３）を形成したものであり、前記剥離剤層（２３）と前記粘着剤層（２２）とが接するように前記第一基材（１７）と貼り合わされていることを特徴とする帳票。
・第６の発明は、第１の発明から第５の発明のいずれか１つの発明において、前記第二基材（１８）と前記第三基材（１９）の厚さが同じであることを特徴とする帳票。
・第７の発明は、第１の発明から第５の発明のいずれか１つの発明において、前記第二基材（１８）と前記第三基材（１９）とは同じ基材であることを特徴とする帳票。
・第８の発明は、第１の発明から第７の発明のいずれか１つの発明において、前記第一印刷領域（Ｐ１）と前記第三印刷領域（Ｐ３）との間の切取り部（Ｓ）に対応する前記第二基材（１８）と前記第三基材（１９）との間の領域にスリット部を設けたことを特徴とする帳票。
【０００７】
同様に、本発明は、以下のような解決手段により、前記課題を解決する。なお、理解を容易にするために、第２から第４実施形態に対応する符号を付して説明するが、これに限定されるものではない。また、符号を付して説明した構成は、適宜改良してもよく、また、少なくとも一部を他の構成物に代替してもよい。
・第９の発明は、第一片（２１３，４１３）と、前記第一片に第一切断線（Ｓ２１３，Ｓ４１３）を介して連設され再貼付可能な粘着層（２３４ａ）を有するラベル片（２１４，４１４）とを備える（２１０，４１０）と、前記第一基材の前記第一片に積層され、前記第一片との間に感圧複写構造（２１０ｂ，２２０ｂ）が設けられた第二基材（２１０，４１０）と、前記第一基材の前記ラベル片に積層され、前記粘着層に積層された剥離層を有する第三基材（２３０，３３０）とを備え、前記第一基材の前記第一片及び前記第二基材によって複写部（２０１Ａ，３０１Ａ，４０１Ａ）を形成し、前記第一基材の前記ラベル片及び前記第三基材によってラベル部（２０１Ｂ，３０１Ｂ，４０１Ｂ）を形成すること、を特徴とする帳票である。
・第１０の発明は、第９の発明の帳票において、前記第一基材は、前記第一片（２１３，４１３）に対して、前記ラベル片（２１４，４１４）とは反対側に、第二切断線（Ｓ２１２，Ｓ４１２）で分離可能に接続された第二片（２１２，４１２）を備え、前記第二片及び前記第二基材の層間を強接着する接着剤層（２２２ａ）と、前記第一基材の前記第一片に設けられた第一片印刷領域（Ｐ２０１，Ｐ４０１−１〜Ｐ４０１−３）と、前記第一基材の前記第二片に設けられた第二片印刷領域（Ｐ２０２，Ｐ４０２−１〜Ｐ４０２−３）とを備え、前記第一片印刷領域、前記第二片印刷領域には、対応付けられた情報（２５０）が印刷され、前記第一基材の前記第一片を含む第一分離片（２４１）と、前記第一基材の前記第二片及び前記第二基材が前記接着剤層によって一体となった第二分離片（２４２）とが、前記第二切断線によって分離可能であること、を特徴とする帳票である。
・第１１の発明は、第１０の発明の帳票において、マージナル部を、両端に備え、前記第二片印刷領域（Ｐ２０２，Ｐ４０２−１〜Ｐ４０２−３）は、前記複写部（２０１Ａ，３０１Ａ，４０１Ａ）側の前記マージナル部（２１１）と前記第二切断線（Ｓ２１２，Ｓ４１２）との間に配置されていること、を特徴とする帳票である。
・第１２の発明は、第１０又は第１１のいずれかの発明の帳票において、前記ラベル片（２１４，４１４）に設けられた第三印刷領域（Ｐ２０３，Ｐ４０３−１〜Ｐ４０３−３）を備えること、を特徴とする帳票である。
・第１３の発明は、第１０から第１２のいずれかの発明の帳票において、前記各印刷領域（Ｐ２０１，Ｐ４０１−１〜Ｐ４０１−３、Ｐ２０２，Ｐ４０２−１〜Ｐ４０２−３、Ｐ２０３，Ｐ４０３−１〜Ｐ４０３−３）には、互いに対応付けられた情報（２５０）が印刷されていること、を特徴とする帳票である。
・第１４の発明は、第９から第１３のいずれかの発明の帳票において、前記第二基材と前記第三基材の厚さが同じであること、を特徴とする帳票である。
・第１５の発明は、第９から第１３のいずれかの発明の帳票において、前記第二基材（３２０）と前記第三基材（３３０）とは、同じ基材であり、前記第一切断線（Ｓ２１３）に対応した領域に第三切断線（Ｓ３３５）を備えること、を特徴とする帳票である。
・第１６の発明は、第９から第１５のいずれかの発明の帳票において、前記第一切断線（Ｓ２１３）に対応する前記第二基材（２２０）と前記第三基材（２３０）との間の領域にスリット部（Ｓ２０１）を設けたこと、を特徴とする帳票である。
【発明の効果】
【０００８】
本発明によれば、構造が簡単であり、複写帳票の機能及びラベル部を有する帳票を提供できる。
【図面の簡単な説明】
【０００９】
【図１】第１実施形態に係わる帳票の一例である。
【図２】第１実施形態に係わる帳票におけるラベル部の断面図の一例である。
【図３】第１実施形態に係わる帳票における感圧複写部の断面図の一例である。
【図４】第１実施形態に係わる帳票の分解図の一例である。
【図５】第１実施形態に係わる帳票の分解図の別の一例である。
【図６】第２実施形態の帳票２０１を示す図である。
【図７】帳票２０１を分離した状態を示す図、製造方法を説明する断面図である。
【図８】第２実施形態の帳票２０１の使用方法を説明する図である。
【図９】第２実施形態の帳票２０１の使用方法を説明する図である。
【図１０】第２実施形態の帳票２０１の使用方法を説明する図である。
【図１１】第２実施形態の帳票２０１の使用方法を説明する図である。
【図１２】第３実施形態の帳票３０１の断面図である。
【図１３】第４実施形態の帳票４０１を上面から見た図である。
【発明を実施するための形態】
【００１０】
次に、本発明の実施形態について、図面を参照して詳述する。
（第１実施形態）
図１は、第１実施形態に係わる帳票の一例である。
図１−１において、１１の×は印字、Ｐ１は第一印刷領域、Ｐ２は第二印刷領域、Ｐ３は第三印刷領域、１５はラベル、１６はスプロケットホール、Ａ−Ａは断面線、Ｐはプリンター走行方向、Ｓは切取り部（切断線）である。
図１−１では、連続帳票のプリンター走行方向Ｐに連接された単位帳票を図示したものであり、プリンター走行方向Ｐに沿って切取り部Ｓが設けられ、通常は切取りミシン目であるが、ミシン目に限定されるものではなく、筋押し線あるいはハーフカットでもよい。図では破線で示してある。第一印刷領域Ｐ１、第二印刷領域Ｐ２、第三印刷領域Ｐ３は、ノンインパクトプリンターを用いて高速で印字処理を行った。
【００１１】
第三印刷領域Ｐ３に対応する第一基材１７はラベル基材をなしており、第一印刷領域Ｐ１または第二印刷領域Ｐ２に付与された固有情報と関連付けてラベル１５に印字されている。従ってラベル１５の印字情報は、一次元バーコード、二次元バーコード、数字、文字、記号等どのようなものでも適用可能である。ラベル１５の形は図１−１では、長方形をなしているが、この形に限定されるものではない。
【００１２】
第一基材１７を用いてラベル部のラベル基材を形成することにより、ラベル部と感圧複写部とのつなぎ部分をなくした。さらに、ラベル基材のラベル１５となる領域にトメ（アンカット）を形成した。このトメによりラベル１５がプリンタドラムに巻き上がるリスクを軽減することができた。
【００１３】
図１−２は、第１実施形態に係わる帳票のＡ−Ａ断面図の一例である。図１−２において、１０は接着剤層、１７は第一基材、１８は第二基材、１９は第三基材、３２は感圧複写構造である。
図１−２では、第二印刷領域Ｐ２に対応する第一基材１７が接着剤層１０を介して第二基材１８と接着されており、接着剤層１０はプリンター走行方向Ｐに沿って所定間隔の領域を空けて線状又は点線状に２本形成された線状糊である。所定間隔とは、第二印刷領域Ｐ２の範囲内中のある間隔という意味である。接着剤層１０としては、水系、溶剤系、ワックス系、ホットメルト、ＵＶ系、圧着糊等、種類を選ばない。水系の糊の例としては、日栄加工製「ＡＶ−７８０」、「Ｐ−８００ＬＣ」等が挙げられる。また、接着剤層１０の形態は、ライン糊、スポット糊、パターン糊等のいずれでもよい。
【００１４】
感圧複写部は、第一印刷領域Ｐ１に対応する第一基材１７と第二基材１８とが感圧複写構造３２を介して積層されている部分である。感圧複写構造３２は、加圧印字による発色剤と顕色剤との化学反応により発色する方式であり、第一基材１７側に発色剤が設けられ、第二基材１８側に顕色剤が設けられているものである。発色剤は、染料を有するマイクロカプセルが第一基材１７側に有するもので、マイクロカプセルは、無色の染料を不揮発性のオイルに溶解し、高分子被膜で包囲した直径数ミクロンの大きさの微粒子である。マイクロカプセルは印字圧によって容易に破壊されて中の無色染料が流出し、顕色剤と接触して化学反応を起こし、瞬時に発色する。
【００１５】
図１−２では、第一基材１７と第二基材１８との構造を図示しているが、第二基材１８の下位層に感圧複写構造３２を有する第四基材（図示せず）を設けてもよい。また、第二基材１８側に顕色剤と発色剤の層構成を有するセルフ発色方式（単体発色方式・複合発色方式）の感圧発色層を設けた。
【００１６】
第一印刷領域Ｐ１と第三印刷領域Ｐ３との間の切取り部Ｓに対応する第二基材１８と第三基材１９との間の領域にスリット部を設けた。図１の例においては第二基材１８と第三基材１９の厚さを同じ厚さに形成したが、厚さが異なっていてもよい。
【００１７】
図２は、第１実施形態に係わる帳票におけるラベル部の断面図の一例である。図２において、２１は第一基材、２２は粘着剤層、２３は剥離剤層、２４は第三基材、２５は剥離界面、２６はカット線、２７は印字情報である。
【００１８】
図２で、２７は、ノンインパクトプリンターによって印字処理された印字情報である。第三基材２４は、紙基材であるが、クラフト紙、上質紙、複写用紙、グラシン紙、パーチメント紙、レーヨン紙、コート紙、合成紙、樹脂フィルムによりラミネートされた紙等の紙が好適に用いられるが、セロファン、延伸ポリプロピレン、ポリエチレンテレフタレート、延伸ポリスチレン、ポリ塩化ビニル等の樹脂フィルムであってもよい。第三基材２４の厚さは、通常は、２０μｍ〜２００μｍ程度が好ましい。第三基材２４と同様に第一基材２１、第二基材１８も同じ種類の基材を用いることが好ましい。
【００１９】
剥離剤層２３としては、ラベル１５が第三基材２４から容易に剥離できるような接着性の低い樹脂を使用することが望ましく、ポリエチレン、ポリプロピレン、ポリブチレン等のオレフィン系（共）重合体、シリコーン系樹脂を用いることが最も好ましいが、他にも、ポリスチレン、ポリビニルブチラール、酢酸ビニル共重合体、エチレン−酢酸ビニル共重合体、塩化ビニル−酢酸ビニル共重合体、アクリル樹脂、セルロース樹脂等の熱可塑性樹脂およびこれらの混合物からなるフィルムでもよい。また、ポリウレタン等の熱硬化性樹脂等から形成されたフィルムを用いてもよい。さらに、所望に応じて、酸化防止剤、熱安定剤、紫外線吸収剤、スリップ剤、帯電防止剤、防曇剤、着色剤、フィラー等が添加されていてもよい。
剥離剤層２３の塗布量・塗布厚は特に限定されないが、好ましくは、塗布量は０．１ｇ／ｍ２〜１０ｇ／ｍ２であり、塗布厚は０．１μｍ〜１０μｍである。
【００２０】
カット線２６は、打ち抜き刃により粘着剤層２２までカットしてありラベル１５が第三基材２４から剥離しやすいように形成されている。
【００２１】
粘着剤層２２は、アクリル系粘着剤が最も好ましいが、天然ゴム系粘着剤、合成ゴム系粘着剤、シリコーンゴム系粘着剤等でもよい。
【００２２】
図３は、第１実施形態に係わる帳票における感圧複写部の断面図の一例である。図３において３０は印字情報、３１は第一基材、３２は感圧複写構造、３３は第二基材である。
図３で、感圧複写構造３２は、再生利用が可能な環境汚染の少ない材料、例えばＰＣＢ（ｐｏｌｙｃｈｌｏｒｏｂｉｐｈｅｎｙｌ）や重金属類、有機塩素化合物などの有害物質を含有していないためクリーンな材料である。
【００２３】
図４は、第１実施形態に係わる帳票の分解図の一例である。図４において４１は接着剤層である。接着剤層４１は、強接着剤で第一基材１７と第二基材１８を強固に留めるためのものである。また、ラベル１５の四辺の所定位置にトメ部（アンカット部）を設けたが、これはラベル１５がプリンタードラムに巻き取られてラベル１５が剥がれるのを防止するためのものである。
【００２４】
図５は、第１実施形態に係わる帳票の分解図の別の一例である。図５では第一基材と第二基材と第三基材とを貼り合わせるための配置関係を明確にしたものである。
【００２５】
以上説明したように、本実施形態は、以下の効果を奏する。
（１）感圧複写式帳票を構成する感圧複写構造は、わずかな圧力により発色を呈するため、固有情報を付与するためにインパクトプリンターで印字した際にインパクトプリンターの印字機構からの振動の影響が帳票に伝わり、感圧複写構造の一部が反応して不要な発色を呈する可能性があり、商品としての価値が低下してしまうという問題がある。
これに対して、本実施形態の帳票は、インパクトプリンターを用いずに、固有情報を印刷できるので、不要な発色を抑制できる。
【００２６】
（２）コンビネーションフォームのように、ラベルとなる部分と帳票部分とを貼り合わせる方式の場合は、貼り合わせ部分に段差が生じ、この段差の影響でプリンター装置内部のローラにダメージが生ずるという問題がある。また、上記コンビネーションフォームは、製造工程が多く、納期、コスト等に影響を及ぼすという問題がある。
これに対して、本実施形態の帳票は、ラベルとなる部分と帳票部分とをミシン目で接続するので、段差がないので、プリンターへのダメージを軽減できる。また、ラベルとなる部分と帳票部分とを貼り合わせる工程が不要であるので、製造工程が簡単であり、短納期、低コストである。
【００２７】
（３）上記コンビネーションフォームは、ラベルとなる部分と帳票部分とに固有情報を印刷後に、両者を貼り合わせるので、固有情報のミスマッチが生じやいという問題がある。
これに対して、本実施形態の帳票は、固有情報を、３つの印刷領域に同時に印刷できるので、ミスマッチが生ずることがない。
【００２８】
以下、具体的な実施例について説明する。
【００２９】
（実施例１）
製造工程の第一の例を以下に示した。
第一基材１７に絵柄を印刷する及び切取り部Ｓを形成する工程。
第二基材１８に絵柄を印刷する工程。
第三基材１９に絵柄を印刷及び剥離剤層２３を形成する工程。
第二基材１８に接着剤層４１（パターン）を形成し、第一基材１７を丁合する丁合工程、第三基材１８に粘着剤層２２を形成し、第一基材１７と貼付する丁合工程、ラベル形状にカット線２６を形成する加工工程をインラインで行う加工工程。
第一印刷領域Ｐ１、第二印刷領域Ｐ２、第三印刷領域Ｐ３に同時に印字する印字工程。
検査、梱包工程。
【００３０】
（実施例２）
製造工程の第二の例を以下に示した。
第一基材１７に絵柄を印刷する及び切取り部Ｓを形成する工程。
第二基材１８に絵柄を印刷する工程。
第三基材１９に絵柄を印刷及び剥離剤層２３を形成する工程。
第二基材１８に接着剤層４１（ライングリュー）を形成し、第一基材１７を丁合する丁合工程、第三基材１８に粘着剤層２２を形成し、第一基材１７と貼付する丁合工程、ラベル形状にカット線２６を形成する加工工程をインラインで行う加工工程。
第一印刷領域Ｐ１、第二印刷領域Ｐ２、第三印刷領域Ｐ３に同時に印字する印字工程。
検査、梱包工程。
【００３１】
（第２実施形態）
次に、本発明の第２実施形態について説明する。
以降の実施形態、図面では、説明と理解を容易にするために、ＸＹＺ直交座標系を設けた。この座標系は、図６の状態を基準に、左右方向Ｘ、縦方向Ｙ、厚さ方向Ｚを表す。また、構成を明確に図示するために、厚さ方向Ｚの構成を、誇張して図示した。
第１実施形態の帳票と、第２実施形態の帳票２０１とは、構造がほぼ同じである。このため、第２実施形態の下記説明は、第１実施形態の上記説明と、重複した部分を有する。
【００３２】
図６は、第２実施形態の帳票２０１を示す図である。
図６（Ａ）は、帳票２０１を上面から見た図である。図６（Ａ）は、複数の帳票２０１（単位帳票）が、切断線２０２（ミシン目等）を介して、縦方向Ｙに連続した連続帳票の一部を図示する。
図６（Ｂ）は、帳票２０１の断面図である。
図７は、帳票２０１を分離した状態を示す図、製造方法を説明する断面図である。
図７（Ａ）は、帳票２０１を分離した状態を示す図である。
図７（Ｂ）は、帳票２０１の製造方法を説明する図である。
本実施形態では、帳票２０１の一例として、被検者の検診に利用されるものを説明する。
【００３３】
帳票２０１は、トップ紙２１０（第一基材）、ボトム紙２２０（第二基材）、剥離紙２３０（第三基材）の３種の基材を備える。
ボトム紙２２０は、トップ紙２１０の左領域に積層され、剥離紙２３０は、トップ紙２１０の右領域に積層されている。
トップ紙２１０、ボトム紙２２０は、ノーカーボン紙を利用した複写帳票に利用されるものである。
トップ紙２１０の基材２１０ａの下面全面には、発色剤層２１０ｂが積層されている。また、ボトム紙２２０の基材２２０ａの上面全面には、顕色剤層２２０ｂが積層されている。
剥離紙２３０は、剥離層２３４ａ（後述する）を備える基材である。剥離紙２３０の厚さと、ボトム紙２２０の厚さとは、同じである。
【００３４】
トップ紙２１０、ボトム紙２２０、剥離紙２３０には、以下の各片が切断線（ミシン目等）を介して、左側Ｘ１から右側Ｘ２に向けて連設されている。
・トップ紙２１０
トップ紙２１０には、マージナル片２１１、切断線Ｓ２１１、帳票番号印刷片２１２（第二片）、切断線Ｓ２１２（第二切断線）、検査票片２１３（第一片）、切断線Ｓ２１３（第一切断線）、ラベル片２１４、切断線Ｓ２１４、マージナル片２１５が連設されている。
・ボトム紙２２０
ボトム紙２２０には、マージナル片２２１、切断線Ｓ２２１、複写片２２２が連設されている。
・剥離紙２３０
剥離紙２３０には、剥離片２３４、切断線Ｓ２３４、マージナル片２３５が連設されている。
【００３５】
各紙片について説明する。
帳票番号印刷片２１２は、検査票片２１３の左側Ｘ１（ラベル片２１４とは反対側）に、切断線Ｓ２１２で分離可能に接続されている。
検査票片２１３の上面には、使用時に、必要事項を印刷、記入するためのフォーム（文字、記号、線等）が印刷されている。
【００３６】
ラベル片２１４は、長方形のラベル２１４ａが３つ縦方向Ｙに配列されている。
ラベル２１４ａは、採血、採尿、採便のための容器２７５（図９参照）に貼付されるものである。
ラベル２１４ａは、アンカット部２１４ｂ、カット部２１４ｃを備える。
アンカット部２１４ｂは、ラベル２１４ａの外形のうち、上辺、下辺の中央部に設けられている。アンカット部２１４ｂは、ラベル片２１４を切断していない部分であり、いわゆる「トメ」である。
カット部２１４ｃは、ラベル２１４ａの外形のうち、アンカット部２１４ｂ以外の領域、つまりラベル２１４ａの外形のほぼ全周に設けられている。カット部２１４ｃは、ラベル片２１４を厚さ方向Ｚに切断している。
【００３７】
ラベル片２１４は、再貼付可能な粘着層２１４ｄが下面に設けられている。
ラベル片２１４の粘着層２１４ｄは、剥離片２３４の剥離層２３４ａに積層されている。
粘着層２１４ｄの設置領域は、３つのラベル２１４ａを含むような長方形の領域である。縦方向Ｙにおいて、粘着層２１４ｄの設置領域は、ラベル片２１４の縦方向Ｙの上端から下端までの範囲である。また、左右方向Ｘにおいて、粘着層２１４ｄは、ラベル片２１４の左端、右端から離れて配置されており、つまり、ラベル片２１４の左端、右端から一定の範囲には、配置されていない。
【００３８】
複写片２２２は、強接着剤層２２２ａによって、帳票番号印刷片２１２に接着されている。
この強接着剤層２２２ａは、トップ紙２１０の帳票番号印刷片２１２及びボトム紙２２０の複写片２２２の層間を、剥離不可能に強接着する。なお、実施形態では、強接着剤層２２２ａは、２本の線状糊が縦方向Ｙに塗布された例を示すが、１本の太い帯状の糊でもよい。
複写片２２２には、検査票片２１３と同様なフォーム（図１０参照）が印刷されている。
複写片２２２の右端は、切断線Ｓ２１３から少しの距離（例えば数ｍｍ程度）離れた左側Ｘ１に位置する。
【００３９】
剥離片２３４は、ラベル片２１４の厚さ方向Ｚの下側Ｚ１に積層される。
剥離片２３４の左端は、切断線Ｓ２１３から少しの距離（例えば数ｍｍ程度）離れた右側Ｘ２に位置する。このため、切断線Ｓ２１３の下側Ｚ１の領域（第一切断線に対応する領域）には、剥離片２３４及び複写片２２２の間に、スリットＳ２０１が形成される。そのため、剥離片２３４及び複写片２２２は重なることがないので、段が形成されない。
また、粘着層２１４ｄ及び剥離層２３４ａの厚さは、各基材の厚さに比べると、十分に薄い。このため、複写部２０１Ａ、右側Ｘ２のラベル部２０１Ｂとの厚さが、ほぼ同じである。そのため、厚さ方向Ｚにおいて、剥離紙２３０の下面及びボトム紙２２０の下面の位置がほぼ同じであり、こられの間に大きな段が形成されない。
【００４０】
剥離片２３４は、上面に剥離層２３４ａを備える。
剥離層２３４ａは、ラベル片２１４の粘着層２１４ｄを、剥離可能に積層するものである。剥離層２３４ａは、剥離紙２３０に、例えば、シリコン樹脂等の離型性樹脂を塗布することにより設けられる。
剥離片２３４の剥離層２３４ａの設置領域は、３つのラベル２１４ａを含むような長方形の領域である。
縦方向Ｙにおいて、剥離層２３４ａは、剥離片２３４の下端、上端から離れて配置されており、つまり、剥離片２３４の下端、上端から一定の範囲には、配置されていない。また、左右方向Ｘにおいて、剥離層２３４ａの設置領域は、ラベル片２１４の粘着層２１４ｄの設置領域も短い。
このため、ラベル片２１４の外周の領域Ａ１（図６（Ａ）にハッチングで示す領域）の粘着層２１４ｄは、剥離片２３４に対して、剥離層２３４ａを介さずに、直接接着する。そのため、ラベル片２１４及び剥離片２３４は、領域Ａ１において、強接着した状態になる。これにより、ラベル片２１４及び剥離片２３４は、ラベル２１４ａ以外での部分の領域での剥離、つまりラベル片２１４及び剥離片２３４の周囲からの剥離を抑制できる。
なお、隣合うラベル２１４ａ間にも、このように強接着した領域Ａ１を、配置してもよい。
【００４１】
上記構成により、検査票片２１３の下面の発色剤層２１０ｂと、複写片２２２の上面の顕色剤層２２０ｂとは、直接接触することにより、感圧複写構造を構成する。これにより、帳票２０１は、トップ紙２１０の検査票片２１３と、ボトム紙２２０の複写片２２２とによって複写帳票の機能を有する複写部２０１Ａを形成する。また、帳票２０１は、トップ紙２１０のラベル片２１４及び剥離紙２３０によって、再貼付可能なラベル２１４ａを有するラベル部２０１Ｂを形成する。
【００４２】
（帳票２０１の分離）
図７（Ａ）に示すように、帳票２０１は、切断線Ｓ２１２，Ｓ２１３で切断することにより、第一分離片２４１、第二分離片２４２、上記ラベル部２０１Ｂに分離できる。また、ラベル部２０１Ｂからは、ラベル２１４ａを剥離できる。
第一分離片２４１、第二分離片２４２、ラベル部２０１Ｂの詳細は、以下の通りである。
第一分離片２４１は、トップ紙２１０の切断線Ｓ２１２，Ｓ２１３によって、検査票片２１３を単体で分離したものである。
第二分離片２４２は、トップ紙２１０の切断線Ｓ２１２によって、帳票番号印刷片２１２及び複写片２２２が、強接着剤層２２２ａによって接着した状態で、一体で分離したものである。なお、第二分離片２４２は、必要に応じて、マージナル片２１１，２２１を切り離してもよい。
ラベル部２０１Ｂは、トップ紙２１０を切断線Ｓ２１３によって、分離したものである。ラベル２１４ａは、ラベル片２１４及び粘着層２１４ｄが、ラベル片２１４のカット部２１４ｃによって、剥離紙２３０から剥離されたものである。ラベル２１４ａは、粘着層２１４ｄによって、他の部材に再貼付可能である。
なお、複写片２２２及び剥離紙２３０の剥離片２３４間は、スリットＳ２０１によって離間しているので、分離するための作業が不要であるため、作業性がよい。
【００４３】
（印刷領域Ｐ２０１〜Ｐ２０３）
図６に示すように、トップ紙２１０の上面は、３つの第一印刷領域Ｐ２０１、第二印刷領域Ｐ２０２、第三印刷領域Ｐ２０３を備える。なお、断面図には、便宜上、印刷領域Ｐ２０１〜Ｐ２０３を太線で示すが、これらの領域に何かの層が積層されているわけではない。
これら３つの印刷領域Ｐ２０１〜Ｐ２０３は、複写方式を用いずに直接印刷される印刷領域である。３つの印刷領域Ｐ２０１〜Ｐ２０３には、帳票２０１を識別するための同じ帳票番号２５０（図８等参照）が印刷される。帳票番号２５０は、帳票２０１毎に異なる固有情報である。つまり、帳票番号２５０は、被検者を識別するための情報である。
【００４４】
帳票番号２５０の印刷は、番号の印字のみに限らず、番号を機械読み取り可能にコード化したもの（一次元コード、二次元コード等）や、これら２つ以上を並べたものを印刷することができる。また、印刷領域Ｐ２０１〜Ｐ２０３は、帳票番号２５０に加えて、又は単独でベタ印刷をしてもよい。この場合には、例えば、異なる病院毎にベタ印刷の色彩を定めておくことにより、ベタ印刷の色彩によって病院を識別することができる。
【００４５】
第一印刷領域Ｐ２０１は、検査票片２１３の上面に設けられている。帳票２０１の分離後には、第一印刷領域Ｐ２０１は、第一分離片２４１に含まれる。
第二印刷領域Ｐ２０２は、帳票番号印刷片２１２の上面に設けられている。つまり、第二印刷領域Ｐ２０２は、マージナル片２１１及び切断線Ｓ２１２の間に配置されている。このため、第二印刷領域Ｐ２０２は、トップ紙２１０に対して、縦方向Ｙの１つの切断線Ｓ２１２を加工することにより、孔開け加工等することなく、容易に設けることができる。帳票２０１の分離後には、第二印刷領域Ｐ２０２は、第二分離片２４２に含まれる。
第三印刷領域Ｐ２０３は、ラベル２１４ａの上面に設けられている。帳票２０１の分離後には、第三印刷領域Ｐ２０３は、ラベル２１４ａに含まれる。
【００４６】
このように、帳票２０１の第一分離片２４１、第二分離片２４２、ラベル２１４ａには、全て帳票番号２５０の印刷を含む。そのため、これらは、分離後にも帳票番号２５０によって、対応付けられた状態を維持される。
また、３つの印刷領域Ｐ２０１〜Ｐ２０３は、トップ紙２１０の上面に露出した状態であるので、例えば、インクジェットプリンタによる印刷等のような、ヘッドが帳票２０１に接触しない方法で印刷できる。これにより、帳票２０１は、複写片２２２にほとんど圧力がかかることがなく、複写片２２２に不用意に複写されることを抑制でき、帳票番号２５０を印刷された状態の外観を、高品質にすることができる。
【００４７】
（帳票２０１の製造方法）
図７（Ｂ）を参照して、帳票番号２５０が印刷される前の状態までの連続帳票の製造方法について、説明する。
なお、以下の工程の順序は、必要に応じて、変更してもよい。
・トップ紙２１０の前加工
（１）印刷工程
両端にマージナル片２１１，２１５を有するトップ紙２１０の上面に対して、検査票片２１３のフォーム、ラベル２１４ａのフォームを、連続帳票に対応して連続して印刷する。印刷は、インクジェットプリンタによる印刷、オフセット印刷等を用いる。
（２）切断線形成工程
トップ紙２１０に対して、切断線Ｓ２１１〜Ｓ２１４を加工する。加工は、ミシン刃を用いる加工、レーザ加工等を用いる。
以上により、トップ紙２１０の前加工が終了する。
【００４８】
・ボトム紙２２０の前加工
（１）印刷工程
トップ紙２１０の前加工と同様に、左端にマージナル片２２１を有するボトム紙２２０の上面に対して、フォームを、連続帳票に対応して連続して印刷する。
（２）切断線形成工程
トップ紙２１０の前加工と同様に、ボトム紙２２０に対して、切断線Ｓ２２１を形成する。
以上により、ボトム紙２２０の前加工が終了する。
【００４９】
・剥離紙２３０の前加工
（１）剥離層積層工程
マージナル片２３５を備える紙材（剥離紙２３０）の上面に対して、連続帳票に対応して、剥離剤を連続して塗布することにより、剥離層２３４ａを積層する（矢印Ａ２３４ａ参照）。
（２）切断線形成工程
トップ紙２１０の前加工と同様に、紙材に対して、切断線Ｓ２３４を形成する。
以上により、剥離紙２３０の前加工が終了する。
【００５０】
以上前加工が終了した各紙片を、縦方向Ｙに送りながら、以下のように加工する。
（１）トップ紙２１０、ボトム紙２２０間の接着工程
トップ紙２１０の下面（又はボトム紙２２０の上面）に強接着剤を塗布することにより強接着剤層２２２ａを形成しながら（矢印Ａ２２２ａ参照）、トップ紙２１０及びボトム紙２２０間を接着する。これにより、トップ紙２１０、ボトム紙２２０が貼合されることにより、積層される（矢印Ａ２１０参照）。強接着剤は、縦方向Ｙに連続したトップ紙２１０又はボトム紙２２０に、線状に塗布することができる。
（２）トップ紙２１０、剥離紙２３０間の接着工程
トップ紙２１０の下面に粘着剤を塗布することにより粘着層２１４ｄを形成しながら（矢印Ａ２１４ｄ参照）、トップ紙２１０及び剥離紙２３０間を接着する。粘着剤は、縦方向Ｙに連続したトップ紙２１０に帯状に、塗布することができる。
【００５１】
（３）ハーフカット加工
トップ紙２１０のうちラベル２１４ａに対応する外形を、ハーフカット加工することにより、アンカット部２１４ｂ、カット部２１４ｃを加工する。
（４）切断線形成工程
連続した帳票２０１間を分離するための切断線２０２（図１参照）を加工する。切断線２０２は、トップ紙２１０、ボトム紙２２０、剥離紙２３０の全てに加工する。
【００５２】
以上により、帳票番号２５０が印刷されていない状態、かつ、帳票２０１が縦方向Ｙに連続した連続帳票を製造することができる。帳票２０１の製造者は、この状態の連続帳票を、在庫として保管しておく。
また、複写部２０１Ａ及びラベル部２０１Ｂは、トップ紙２１０の切断線Ｓ２１３で連結されている。このため、帳票２０１は、コンビネーションフォームのような複写部及びラベル部を別に製造しておき接着剤等で接着する形態とは異なり、構造が簡単であり、かつ、製造が容易である。
【００５３】
（使用方法）
図８から図１１は、第２実施形態の帳票２０１の使用方法を説明する図である。
帳票２０１は、以下の順序で、製造者、センタ、病院、被検者の間で使用される。
なお、センタは、複数の病院で行わる検診を、管理する検診センタである。
（１）図８（Ａ）：製造者での処理
・印刷
センタからの発注に応じて、製造者は、保管していた連続帳票の３つの印刷領域Ｐ２０１〜Ｐ２０３に対して、同じ帳票番号２５０を印刷する。図８（Ａ）の例では、２つの印刷領域Ｐ２０１，Ｐ２０２に、番号「０１２３」を印刷し、また、３つのラベル２１４ａの各第三印刷領域Ｐ２０３に、番号「０１２３」と、これをコード化した一次元コードとを並べて印刷した。製造者は、発注枚数分の帳票２０１に帳票番号２５０を、ノンインパクトプリンタ（例えば、電子写真方式のプリンタ、インクジェットプリンタ等）で同時に印刷する。
・センタへの発送
製造者は、印刷した帳票２０１を、センタへ発送する。
【００５４】
このように、帳票２０１は、印刷領域Ｐ２０１〜Ｐ２０３への印刷後に直ちに出荷できるので、短納期で対応でき、かつ、前述したように、複写片２２２へ圧力をかけずに印刷領域Ｐ２０１〜Ｐ２０３に印刷できるので、外観を高品質にできる。
また、帳票２０１は、複写部２０１Ａ及びラベル部２０１Ｂが一体になった状態で、３つの印刷領域Ｐ２０１〜Ｐ２０３に同じ工程で印刷するので、これらの帳票番号２５０のマッチングミスが生じない。
実施形態とは異なるコンビネーションフォームのように、複写部及びラベル部にそれぞれ帳票番号を印刷した後に、これらを接着剤等で接着する形態では、組み合わせの作業ミス等によって、マッチングミスが生じてしまう。
【００５５】
さらに、電子写真方式のプリンタ等のノンインパクトプリンタを用いることにより、帳票２０１は、印刷色の選択の自由度を向上できる。このため、第二分離片２４２として分離する第二印刷領域Ｐ２０２に対しても、複写構造による色彩とは異なる色彩で印刷できる。
【００５６】
（２）図８（Ｂ）：センタでの処理
・印刷
センタの作業者は、帳票２０１を両端のマージナル片２１１，２２１、２１５，２３５のマージナル孔で縦方向Ｙに送りながら、帳票２０１に必要事項を印刷する。ラベル２１４ａは、送り方向である縦方向Ｙの下側Ｙ１、上側Ｙ２にアンカット部２１４ｂを備えるので、プリンタ内での剥離を抑制できる。
図８（Ｂ）には、検査票片２１３に対して、文字２６１（病院名「Ａ病院」）、文字２６２（センタ連絡事項「貧血検査  可」）が印刷され、ラベル片２１４に対して、文字２７１（病院名「Ａ病院」）が印刷された例を示す。連続帳票は、病院から依頼を受けた枚数分を分離して印刷する。
印刷は、帳票２０１に圧力がかかる方法で行う。このため、検査票片２１３の印刷内容は、複写構造の作用によって、複写片２２２に複写される。印刷は、例えば、ドットインパクトプリンタによる方法を用いる。
・病院への発送
センタの作業者は、印刷した帳票２０１を、被検者を実際に検診する病院であるＡ病院へ発送する。
【００５７】
（３）図９、図１０：病院での処理
・名前等の記入
病院は、被検者に帳票２０１を手渡す。
図９に示すように、被検者は、必要事項をボールペン等の筆記具で、帳票２０１に記入する。
図９には、検査票片２１３に対して、被検者の名前２６３（名前「Ｂ」）を記入し、任意検査のアレルギにチェック２６４をし、また、ラベル２１４ａに被検者の名前２７３（名前「Ｂ」）を記入した例を示す。検査票片２１３への記入内容は、複写構造の作用によって、複写片２２２に複写される。
なお、これら名前２６３等は、病院がドットインパクトプリンタによって印刷してもよい。
・ラベル２１４ａの剥離
病院の作業者（医師、看護師等）、又は被検者は、帳票２０１から３つのラベル２１４ａを剥がして、採血、採尿、採便をするための３つの容器２７５にそれぞれ貼り付けて、検診を行う。
これにより、帳票２０１は、ラベル２１４ａのみが分離した状態となる。
【００５８】
・帳票２０１の分離
図１０に示すように、病院の作業者は、帳票２０１を切断線Ｓ２１２，Ｓ２１３で切断して分離する（図７（Ａ）参照）。
これにより、第一分離片２４１、第二分離片２４２、ラベル部２０１Ｂが分離する。
第一分離片２４１は、センタへ発送される。
第二分離片２４２は、控えとして、病院で保管される。なお、必要に応じて、マージナル片２１１，２２１は、分離して破棄してもよい。
ラベル部２０１Ｂは、既に、ラベル２１４ａが剥離された状態であるので破棄される。
このように、帳票２０１は、ラベル部２０１Ｂを分離できるので、検査票片２１３と、複写片２２２とを、従来の複写帳票と同様にして利用できる。
・センタへの発送
そして、病院の作業者は、容器２７５、第一分離片２４１をセンタに発送する。
【００５９】
（４）図１１：センタでの処理
・採血、採尿、採便の解析結果の入力
センタの作業者は、採血、採尿、採便を解析する。また、センタの作業者は、３つのラベル２１４ａの各第三印刷領域Ｐ２０３の帳票番号２５０を、読み取り装置（リーダ）で読み取ったり、テキスト入力してコンピュータに入力する。そして、センタの作業者は、解析結果と、第三印刷領域Ｐ２０３の帳票番号２５０とを対応付けて、コンピュータに入力して、記憶装置に記憶させる。
・検診結果の印刷
センタの作業者は、ＯＣＲ（光学文字認識）可能な読み取り装置を用いて、第一分離片２４１の検査票片２１３の記入内容（第一印刷領域Ｐ２０１の帳票番号２５０、名前２６３等）を読み取る。コンピュータは、帳票番号２５０に基づいて、読み取った記入内容と、記憶装置の解析結果とを対応付けて記憶する。これにより、第一分離片２４１の記入内容と、解析結果とが、システム上で統合される。
そして、センタの作業者は、名前２６３、帳票番号２５０、解析結果等を、検査結果として検査結果帳票（図示せず）に、プリンタで印刷する。
・病院への発送
センタの作業者は、印刷した検査結果帳票を、被検者を検診した病院へ発送する。そして、病院から検査結果帳票が被検者に渡される。
以上により、一連の手順が終了する。
【００６０】
上記使用方法には、センタ、病院において、プリンタを用いるものがある。
前述したように、複写部２０１Ａ、ラベル部２０１Ｂとの厚さは、ほぼ同じである。また、複写部２０１Ａと、ラベル部２０１Ｂとの間は、切断線Ｓ２１３で連結されている。これにより、帳票２０１は、局所的に厚さが大きくなる部分がなく、プリンタの搬送機構（ローラ等）等への損傷を抑制できる。なお、前述した剥離紙２３０の厚さと、ボトム紙２２０の厚さとが同じである程度については、これらの厚さの差異によって形成される段がプリンタ等を損傷しない程度まで許容される。
【００６１】
実施形態とは異なり、複写部の右端及びラベル部の左端を重ねて糊等で接着する形態であると、これらが重なる部分は、局所的に厚さが大きくなる。また、実施形態とは異なり、複写片の厚さ及び剥離紙の厚さが異なると、複写部の厚さ及びラベル部の厚さが大きく異なってしまう。これらの形態は、ローラ等への接触圧を局所的に大きくすることにより、プリンタを損傷する原因になる。
【００６２】
また、前述したように、ラベル片２１４及び剥離片２３４は、領域Ａ１が強接着している。このため、ラベル片２１４及び剥離片２３４は、読み取り装置、プリンタでの処理時や、配送時等において、剥離が抑制される。これにより、帳票２０１は、取り扱いが容易である。
【００６３】
以上説明したように、本実施形態の帳票２０１は、以下の効果を奏する。
（１）複写部２０１Ａ及びラベル部２０１Ｂを、トップ紙２１０の切断線Ｓ２１３で連結するので、構造が簡単であり、かつ、製造が容易である。また、ラベル部２０１Ｂを分離することにより、複写部２０１Ａを従来の複写帳票と同様に利用できる。
（２）最終的には分離される第一分離片２４１、第二分離片２４２、ラベル２１４ａに対して、予め、帳票番号２５０を、マッチングミスなく印刷できる。
（３）帳票番号２５０を印刷後に直ちに出荷できるので、短納期で対応でき、かつ、外観を高品質にできる。
（４）プリンタや、読み取り装置の搬送機構の損傷を抑制できる。
【００６４】
（第３実施形態）
次に、本発明の第３実施形態について説明する。
なお、以下の説明及び図面において、前述した第２実施形態と同様の機能を果たす部分には、同一の符号又は末尾（下２桁）に同一の符号を適宜付して、重複する説明を適宜省略する。
図１２は、第３実施形態の帳票３０１の断面図である。
帳票３０１は、ボトム紙３２０（第二基材）、剥離紙３３０（第三基材）を１枚の同じ基材によって構成したものである。つまり、ボトム紙３２０は、複写片３２２等と、剥離紙３３０を備える。
【００６５】
剥離紙３３０及びラベル片２１４間には、剥離層２３４ａ、粘着層２１４ｄが配置されている。このため、ラベル２１４ａに感圧印刷されても、剥離紙３３０には、複写されない。
複写片３２２及び剥離片３３４間は、ミシン目等の切断線Ｓ３３５（第三切断線）で接続されている。切断線Ｓ３３５は、トップ紙２１０の切断線Ｓ２１３の直下（第一切断線に対応した領域）に配置されている。このため、複写片３２２の右端は、剥離片３３４の左端に、確実に保持される。
【００６６】
上記構成により、帳票３０１は、２枚の基材で構成できるので、構成を簡単にすることができる。
また、帳票３０１の製造は、前工程においては、複写片３２２の印刷等、及び剥離紙３３０の剥離層の形成等を同じ工程で行えるし、かつ、積層工程においては、トップ紙２１０及びボトム紙３２０のみを積層すればよい。これにより、帳票３０１は、容易に製造できる。
【００６７】
帳票３０１の使用方法は、第２実施形態と同様である。
前述したように、複写片３２２の右端は、剥離片３３４の左端に保持されている。このため、使用時において、帳票３０１は、プリンタ等の装置によって送られる場合に、装置内部でのめくれ等を抑制できる。
なお、病院の作業者は、帳票３０１を分離する場合には、２つの切断線Ｓ２１３，Ｓ３３５を一緒に切断すればよい。
【００６８】
（第４実施形態）
次に、本発明の第４実施形態について説明する。
図１３は、第４実施形態の帳票４０１を上面から見た図である。
帳票４０１の積層構造の図示は、省略するが、上記第２又は第３実施形態と同様に、トップ紙４１０、ボトム紙が積層されている。
帳票４０１の使用方法は、第２又は第３実施形態と同様である。
図１３は、帳票４０１の使用方法における病院での処理を示す図（図９のラベル剥離前の状態に対応する図）である。
【００６９】
帳票４０１は、集団検診の血液検査をする場合に利用されるものであり、図１３に示すものは、３人の被検者Ｂ１〜Ｂ３に利用されるものである。
１つの帳票４０１は、縦方向Ｙに３人の被検者Ｂ１〜Ｂ３の欄４０１−１〜４０１−３が設けられている。
なお、集団検診の被検者の名前が予めわかっている場合には、病院（又はセンタ）は、ドットインパクトプリンタで、被検者の名前を印刷しておいてもよい。
【００７０】
複写部４０１Ａの欄４０１−１に対応した領域は、帳票番号印刷片４１２の第二印刷領域Ｐ４０２−１と、検査票片４１３の第一印刷領域Ｐ４０１−１とを備える。
ラベル部４０１Ｂの欄４０１−１に対応した領域は、３つのラベル４１４ａ−１が左右方向Ｘに並べて配置されている。３つのラベル４１４ａ−１は、それぞれ第三印刷領域Ｐ４０３−１を備える。
各印刷領域Ｐ４０１−１〜Ｐ４０３−１は、それぞれ帳票番号として「０００１」が印刷されている。
【００７１】
欄４０１−２，４０１−３も同様に、印刷領域Ｐ４０１−２〜Ｐ４０３−２、印刷領域Ｐ４０１−３〜Ｐ４０３−３を備え、帳票番号として「０００２」、「０００３」が印刷されている。
病院の作業者は、ラベル４１４ａ−１〜ラベル４１４ａ−３を、各被検者の採血時に、容器（図示せず）に貼付する。
【００７２】
このように、本実施形態では、１枚の帳票４０１に複数の欄４０１−１〜４０１−３を設けて、各欄に異なる帳票番号を印刷することにより、複数の被検者の検査に利用することができる。
【００７３】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００７４】
（変形形態）
第２から第４実施形態において、帳票は、トップ紙、ボトム紙を備えるものである例を示したが、これに限定されない。帳票は、例えば、ノーカーボンタイプのセルフ紙を備えるもの、カーボンタイプのもの等でもよい。
【符号の説明】
【００７５】
１０  接着剤層
１１  印字情報
１５  ラベル
１６  スプロケットホール
１７  第一基材
１８  第二基材
１９  第三基材
Ａ−Ａ  断面線
Ｐ    プリンター走行方向
Ｓ    切取り部
２１  第一基材
２２  粘着剤層
２３  剥離剤層
２４  第三基材
２５  剥離界面
２６  カット線
２７  印字情報
３０  印字情報
３１  第一基材
３２  感圧複写構造
３３  第二基材
４１  接着剤層
【００７６】
２０１，３０１，４０１  帳票
２０１Ａ，３０１Ａ，４０１Ａ  複写部
２０１Ｂ，３０１Ｂ，４０１Ｂ  ラベル部
２１０，４１０  トップ紙
２１２，４１２  帳票番号印刷片
２１３，４１３  検査票片
２１４，４１４  ラベル片
２１４ａ，４１４ａ−１〜４１４ａ−３  ラベル
２１４ｄ  粘着層
２２０，３２０  ボトム紙
２２２，３２２  複写片
２２２ａ  強接着剤層
２３０，３３０  剥離紙
２３４，３３４  剥離片
２３４ａ  剥離層
２４１  第一分離片
２４２  第二分離片
Ｐ１，Ｐ２０１，Ｐ４０１−１〜Ｐ４０１−３  第一印刷領域
Ｐ２，Ｐ２０２，Ｐ４０２−１〜Ｐ４０２−３  第二印刷領域
Ｐ３，Ｐ２０３，Ｐ４０３−１〜Ｐ４０３−３  第三印刷領域
Ｓ２０１  スリット
Ｓ２１２，Ｓ２１３，Ｓ３３５，Ｓ４１２，Ｓ４１３  切断線
【図１】
2015051624.tif 000003
【図２】
2015051624.tif 000004
【図３】
2015051624.tif 000005
【図４】
2015051624.tif 000006
【図５】
2015051624.tif 000007
【図６】
2015051624.tif 000008
【図７】
2015051624.tif 000009
【図８】
2015051624.tif 000010
【図９】
2015051624.tif 000011
【図１０】
2015051624.tif 000012
【図１１】
2015051624.tif 000013
【図１２】
2015051624.tif 000014
【図１３】
2015051624.tif 000015